(57)【要約】分極多重化差分フェーズシフトキーイングフォーマット（ＰＯＬ−ＭＵＸ−ＤＰＳＫ）が設けられる装置、システム及び方法は、オフセット及びビットインタリーブ周波数チャネルを伴い、ＤＰＳＫデモジュレータを用いてデモジュレートされる。
2011530885.tif 000002
【特許請求の範囲】
【請求項１】
２Ｒ  Ｇｂ／ｓの元のデータレートを有するデータ信号を受信し、前記データ信号を第１のデータ信号と第２のデータ信号に分離するように構成されたドライバであって、前記第１のデータ信号と前記第２のデータ信号の各々は、Ｒ  Ｇｂ／ｓのデータレートを有する、ドライバと、
差分フェーズシフトキーイング（ＤＰＳＫ）データ変調により前記第１のデータ信号を第１の光学信号上に変調し、第１のキャリア周波数を有する第１の光学データ信号を供給する、第１の差分フェーズシフトキーイング（ＤＰＳＫ）モジュレータと、
ＤＰＳＫデータ変調により前記第２のデータ信号を第２の光学信号上に変調し、第２のキャリア周波数を有する第２の光学データ信号を供給する、第２のＤＰＳＫモジュレータであって、第１のキャリア周波数と第２のキャリア周波数との間の差分の絶対値は、Ｒ  ＧＨｚの１／４の奇数分である、第２のＤＰＳＫモジュレータと、
前記第２のＤＰＳＫモジュレータに連結し、第１の光学データ信号と対比して前記第２の光学データ信号に可変ディレイを与えるように構成された、可変ディレイ素子と、
前記第１のＤＰＳＫモジュレータの出力、及び、前記第２のＤＰＳＫモジュレータの出力と連結されており、前記第１の光学データ信号と前記第２の光学データ信号を集合信号に結合して光学情報チャネルに連結するように構成されたコンバイナであって、前記第１の光学データ信号は前記第２の光学データ信号に対して相対的に直交分極する、コンバイナと
を含む装置。
【請求項２】
第１のキャリア周波数と第２のキャリア周波数との間の差分の絶対値は、Ｒ  ＧＨｚの１／４の奇数分の１０％以下の範囲内である、請求項１に記載の装置。
【請求項３】
第１のキャリア周波数と第２のキャリア周波数との間の差分の絶対値は、Ｒ  ＧＨｚの１／４の１０％以下の範囲内である、請求項１に記載の装置。
【請求項４】
前記差分フェーズシフトキーイング（ＤＰＳＫ）データ変調が、ゼロ復帰ＤＰＳＫデータ変調を含む、請求項１に記載の装置。
【請求項５】
前記コンバイナが、分極コンバイナを含む、請求項１に記載の装置。
【請求項６】
前記集合信号内のパワーを検出して前記可変ディレイ素子にフィードバック信号を供給し、前記ディレイ素子により与えられる前記可変ディレイをコントロールして前記第１の光学データ信号と前記第２の光学データ信号のビットインタリーブを供給するように構成されたパワー検出器を、更に含む、請求項１に記載の装置。
【請求項７】
前記集合信号を受信するように構成されており、前記第１のキャリア周波数に等しい中心周波数を有しており、前記集合信号を第１及び第２のアーム上に供給して第１と第２の光学出力を供給するように構成された、デモジュレータと、
第１と第２の光検出器であって、第１の検出器は与えられる前記第１の光学出力に応じて第１の電気出力を供給するように構成されており、第２の検出器は与えられる前記第２の光学出力に応じて第２の電気出力を供給するように構成されている、第１と第２の光検出器と、
前記第１と第２の電気出力に連結された第１の差分増幅器と
を含む、請求項１に記載の装置。
【請求項８】
前記集合信号を受信するように構成されており、前記第２のキャリア周波数に等しい中心周波数を有しており、集合信号を第１及び第２のアーム上に供給して第３と第４の光学出力を供給するように構成された、第２のデモジュレータと、
第３と第４の光検出器であって、第３の検出器は与えられる前記第３の光学出力に応じて第３の電気出力を供給するように構成されており、第４の検出器は与えられる前記第４の光学出力に応じて第４の電気出力を供給するように構成されている、第３と第４の光検出器と、
前記第３と第４の電気出力に連結された第２の差分増幅器と
を含む、請求項７に記載の装置。
【請求項９】
前記第１の差分増幅器の出力と前記第２の差分増幅器の出力とに連結され、前記第１の差分増幅器の前記出力と前記第２の差分増幅器の前記出力とを、２Ｒ  Ｇｂ／ｓのデータレートを有する復調集合信号に結合するように構成された、時間分割マルチプレクサを、更に含む請求項８に記載の装置。
【請求項１０】
２Ｒ  Ｇｂ／ｓのデータレートを有するデータ信号を第１のデータ信号と第２のデータ信号に分離するステップであって、前記第１のデータ信号と前記第２のデータ信号の各々は、Ｒ  Ｇｂ／ｓのデータレートを有する、ステップと、
差分フェーズシフトキーイング（ＤＰＳＫ）データ変調により前記第１のデータ信号を第１の光学信号上に変調し、第１のキャリア周波数を有する第１の光学データ信号を供給する、ステップと、
ＤＰＳＫデータ変調により前記第２のデータ信号を第２の光学信号上に変調し、第２のキャリア周波数を有する第２の光学データ信号を供給する、ステップであって、第１のキャリア周波数と第２のキャリア周波数との間の差分の絶対値は、Ｒ  ＧＨｚの１／４の奇数分である、ステップと、
第１の光学データ信号と対比して前記第２の光学データ信号にディレイを与えるステップと、
前記第１の光学データ信号と前記第２の光学データ信号を相互に直交分極するステップと、
前記第１の光学データ信号と前記第２の光学データ信号を集合信号に結合して光学情報チャネルに連結する、ステップと
を含む方法。
【請求項１１】
第１のキャリア周波数と第２のキャリア周波数との間の差分の絶対値は、Ｒ  ＧＨｚの１／４の奇数分の１０％以下の範囲内である、請求項１０に記載の方法。
【請求項１２】
第１のキャリア周波数と第２のキャリア周波数との間の差分の絶対値は、Ｒ  ＧＨｚの１／４の１０％以下の範囲内である、請求項１０に記載の方法。
【請求項１３】
前記差分フェーズシフトキーイング（ＤＰＳＫ）データ変調が、ゼロ復帰ＤＰＳＫデータ変調を含む、請求項１０に記載の方法。
【請求項１４】
分極し結合するステップが、前記第１と第２の光学データ信号を分極コンバイナに連結するステップを含む、請求項１０に記載の方法。
【請求項１５】
前記集合信号内のパワーを検出して、前記集合信号内の前記パワーに応じて前記ディレイを与え、前記第１と第２の光学データ信号のビットインタリーブを達成する、ステップを、更に含む、請求項１０に記載の方法。
【請求項１６】
前記集合信号を受信するステップと、
前記第１のキャリア周波数に等しい中心周波数を有しており、前記集合信号を第１及び第２のアーム上に供給して第１と第２の光学出力を供給するように構成された、デモジュレータに、前記集合信号を連結するステップと、
第１と第２の光検出器上に前記第１と第２の光学出力を与えるステップであって、第１の検出器は与えられる前記第１の光学出力に応じて第１の電気出力を供給するように構成されており、第２の検出器は与えられる前記第２の光学出力に応じて第２の電気出力を供給するように構成されている、ステップと、
前記第１と第２の電気出力を第１の差分増幅器に連結するステップと
を含む、請求項１０に記載の方法。
【請求項１７】
前記第２のキャリア周波数に等しい中心周波数を有しており、前記集合信号を第１及び第２のアーム上に供給して第３と第４の光学出力を供給するように構成された、第２のデモジュレータに、前記集合信号を連結するステップと、
第３と第４の光検出器上に前記第３と第４の光学出力を与えるステップであって、第３の検出器は与えられる前記第３の光学出力に応じて第３の電気出力を供給するように構成されており、第４の検出器は与えられる前記第４の光学出力に応じて第４の電気出力を供給するように構成されている、ステップと、
前記第３と第４の電気出力を第２の差分増幅器に連結するステップと
を含む、請求項１６に記載の方法。
【請求項１８】
前記第１の差分増幅器の出力と前記第２の差分増幅器の出力とを、２Ｒ  Ｇｂ／ｓのデータレートを有する復調集合信号に結合するステップを
更に含む請求項１７に記載の方法。
【請求項１９】
Ｒ  Ｇｂ／ｓのデータレートの差分フェーズシフトキーイング（ＤＰＳＫ）変調フォーマットに従って変調されたデータを有する第１の光学信号と、Ｒ  Ｇｂ／ｓのデータレートのＤＰＳＫ変調フォーマットに従って変調されたデータを有する第２の光学信号とを受信するように構成されたデモジュレータであって、
前記第１の光学信号は第１のキャリア周波数を有し、前記第２の光学信号は第２のキャリア周波数を有し、第１のキャリア周波数と第２のキャリア周波数との間の差分の絶対値は、Ｒ  ＧＨｚの１／４の奇数分であり、
前記第１のキャリア周波数に等しい中心周波数を有しており、前記第１と第２の光学信号を第１及び第２のアーム上に供給して第１と第２の光学出力を供給するように構成された、デモジュレータと、
第１と第２の光検出器であって、第１の検出器は与えられる前記第１の光学出力に応じて第１の電気出力を供給するように構成されており、第２の検出器は与えられる前記第２の光学出力に応じて第２の電気出力を供給するように構成されている、第１と第２の光検出器と、
前記第１と第２の電気出力に連結された第１の差分増幅器と
を含む、装置。
【請求項２０】
前記第１と第２の光学信号を受信するように構成されており、前記第２のキャリア周波数に等しい中心周波数を有しており、前記第１と第２の光学信号を第１及び第２のアーム上に供給して第３と第４の光学出力を供給するように構成された、第２のデモジュレータと、
第３と第４の光検出器であって、第３の検出器は与えられる前記第３の光学出力に応じて第３の電気出力を供給するように構成されており、第４の検出器は与えられる前記第４の光学出力に応じて第４の電気出力を供給するように構成されている、第３と第４の光検出器と、
前記第３と第４の電気出力に連結された第２の差分増幅器と
を含む、請求項１９に記載の装置。
【請求項２１】
前記第１の差分増幅器の出力と前記第２の差分増幅器の出力とに連結され、前記第１の差分増幅器の前記出力と前記第２の差分増幅器の前記出力とを、２Ｒ  Ｇｂ／ｓのデータレートを有する集合信号に結合するように構成された、時間分割マルチプレクサを、更に含む請求項２０に記載の装置。
【請求項２２】
前記差分フェーズシフトキーイング（ＤＰＳＫ）データ変調が、ゼロ復帰ＤＰＳＫデータ変調を含む、請求項１９に記載の装置。
【請求項２３】
第１のキャリア周波数と第２のキャリア周波数との間の差分の絶対値は、Ｒ  ＧＨｚの１／４の奇数分の１０％以下の範囲内である、請求項１９に記載の装置。
【請求項２４】
第１のキャリア周波数と第２のキャリア周波数との間の差分の絶対値は、Ｒ  ＧＨｚの１／４の１０％以下の範囲内である、請求項１９に記載の装置。
【請求項２５】
Ｒ  Ｇｂ／ｓのデータレートの差分フェーズシフトキーイング（ＤＰＳＫ）変調フォーマットに従って変調されたデータを有する第１の光学信号と、Ｒ  Ｇｂ／ｓのデータレートのＤＰＳＫ変調フォーマットに従って変調されたデータを有する第２の光学信号とを受信するステップであって、前記第１の光学信号は第１のキャリア周波数を有し、前記第２の光学信号は第２のキャリア周波数を有し、第１のキャリア周波数と第２のキャリア周波数との間の差分の絶対値は、Ｒ  ＧＨｚの１／４の奇数分である、ステップと、
前記第１のキャリア周波数に等しい中心周波数を有しており、前記第１と第２の光学信号を第１及び第２のアーム上に供給して第１と第２の光学出力を供給するように構成された、デモジュレータに、前記第１の光学信号と前記第２の光学信号を連結するステップと、
第１と第２の光検出器上に前記第１と第２の光学出力を与えるステップであって、第１の検出器は与えられる前記第１の光学出力に応じて第１の電気出力を供給するように構成されており、第２の検出器は与えられる前記第２の光学出力に応じて第２の電気出力を供給するように構成されている、ステップと、
前記第１と第２の電気出力を差分増幅器に連結するステップと
を含む方法。
【発明の詳細な説明】
【技術分野】
【０００１】
本発明は、情報の光伝送に関し、特に、周波数オフセット分極多重化変調フォーマット、及びそれを組み込むシステムに関する。
【背景技術】
【０００２】
シングルデータビットがシングル伝送符号に関して変調されるバイナリ変調フォーマットを用いて、周知の長距離システムが実装されている。バイナリ変調を実行する１つの方法は、オンオフキーイング（Ｏｎ−Ｏｆｆ−Ｋｅｙｉｎｇ）（ＯＯＫ）として知られており、伝送されるパルスは、データビットストリームの１及び０により、オンオフされる。オンオフキーイングは、リターンツーゼロ（ＲＺ）、ノンリターンツーゼロ（ＮＲＺ）及びチャープリターンツーゼロ（ＣＲＺ）フォーマットなどの、様々な周知のフォーマットで実装され得る。一般的に、ＲＺフォーマットでは、伝送された光パルスは、全体のビット期間を占有せず、隣接するビット間でゼロに戻るが、ＮＲＺフォーマットでは、連続したバイナリの１が送られるときは、光パルスは所定値を有する。ＣＲＺなどの、チャープフォーマットでは、ビット同期正弦パルス変調が、伝送されるパルスに与えられる。
【０００３】
フェーズシフトキーイング（ＰＳＫ）は、当業者に周知の別のバイナリ変調方法である。ＰＳＫ変調では、１及び０は、光学キャリア内の位相差若しくは遷移により、識別される。ＰＳＫは、１を示す第１のフェーズ及び０を示す第２のフェーズにより、トランスミッタをオンすることで、実装され得る。差分フェーズシフトキーイング（ＤＰＳＫ）フォーマットでは、信号の光学強度は、一定に保持され得、１及び０は差分フェーズ遷移により識別される。ＤＰＳＫ変調フォーマットは、ＲＺ−ＤＰＳＫを含み、ゼロ復帰振幅変調は、ＤＰＳＫ信号及びＣＲＺ−ＤＰＳＫ信号に与えられる。
【０００４】
伝送システムのビットレートが、例えば、４０Ｇｂ／ｓにまで増加するとき、伝送ペナルティはより顕著となり得る。より高いビットレートのためには、バイナリ変調フォーマットと同じラインレートと比較して、高いスペクトル効率、並びに、色分散及び偏波モード分散に対する増加した耐性によって、マルチレベル変調フォーマットは、魅力的である。マルチレベル変調フォーマットでは、マルチプルデータビットがシングル伝送符号に関してエンコードされ得る。
【０００５】
多数のマルチレベル変調フォーマットが知られている。マルチレベル変調フォーマットの例は、直交フェーズシフトキーイング（ＱＰＳＫ）、情報が４つの差分フェーズにエンコードされる差分直交フェーズシフトキーイング（ＤＱＰＳＫ）、並びに、振幅シフトキーイングと差分バイナリフェーズシフトキーイング（ＡＳＫ−ＤＢＰＳＫ）の組み合わせを、含む。符号毎に３ビットをエンコードするのに有用な８符号レベルを伴うマルチレベル変調フォーマットは、差分８レベルフェーズシフトキーイング（Ｄ８ＰＳＫ）及びＡＳＫ−ＤＱＰＳＫ）を含む。直交振幅シフトキーイング及び差分直交フェーズ変調の組み合わせ（ＱＡＳＫ−ＤＱＰＳＫ）は、１６符号レベル、即ち、符号毎に４ビット与えるのに、用いられ得る。
【０００６】
４０Ｇｂ／ｓの長距離伝送システムのために考察された２つのタイプのマルチレベル変調フォーマットは、ゼロ復帰差分直交フェーズシフトキーイング（ＲＺ−ＤＱＰＳＫ）、及び、分極多重化（ＰＯＬＭＵＸ）ＲＺ−ＤＰＳＫであり、それは、直交偏光にて一対の２０Ｇｂ／ｓ信号を送信することを含む。これらフォーマットの両方は、２ビット／符号変調を達成する。
【先行技術文献】
【特許文献】
【０００７】
【特許文献１】米国特許公開第２００４／０１６１２４５号
【特許文献２】米国特許第７３３３７３２号
【発明の概要】
【発明が解決しようとする課題】
【０００８】
４０Ｇｂ／ｓＰＯＬＭＵＸ−ＲＺ−ＤＰＳＫは、主により高い非線形フェーズノイズ耐性及び感度のために、１５０Ｋｍのリピータ間隔及び６６．６ＧＨｚのチャネル間隔で、５２００Ｋｍラマン支援ＥＤＦＡシステム内で〜４ｄＢで、４０Ｇｂ／ｓＲＺ−ＤＱＰＳＫより優れていることが、見出されている。しかしながら、不運なことに、ＰＯＬＭＵＸ−ＲＺ−ＤＰＳＫは、個々のチャネルのための分極の入力ランダムステートを追跡するための分極コントローラ、及び、直交隣接チャネルを抑圧するポラライザを含むレシーバを、要求する。分極コントロールの損失は、ＰＯＬＭＵＸ−ＲＺ−ＤＰＳＫシステムのＱ値のデグラデーションとなり得る。  
【課題を解決するための手段】
【０００９】
概略、本開示と一致するシステムは、個々のチャネルのための分極の入力ランダムステートを追跡するための分極コントローラ、及び、直交隣接チャネルを抑圧するポラライザを含むレシーバを用いること無く、ＰＯＬＭＵＸ−ＤＰＳＫ変調フォーマットのバリエーションを実装する。一つの例示の実施形態では、交互に直交する分極を有する、２つのＲＺ−ＤＰＳＫ変調信号が組み合わされている。２つの信号は、夫々の信号のビットレートの４分の１の概略奇数の光学キャリア周波数差分を有する。
【発明の効果】
【００１０】
この制約により、ＤＰＳＫデモジュレータは、隣接チャネルからクロストークパワーを効果的に除去する。パフォーマンスを最適化するため、２つのチャネル間で光学パルスを調整しそれらがビットインタリーブされるように、可変ディレイが用いられてもよい。
【図面の簡単な説明】
【００１１】
以下の図面と併せて読まれるべき以下の発明の詳細な説明を参照する。同じ符号は同じ部位を示す。
【図１】本開示と一致するシステムの一つの例示の形態の簡易ブロック図である。
【図２】本開示と一致するトランスミッタの一つの例示の形態の簡易ブロック図である。
【図３】本開示と一致するトランスミッタの一つの例示の形態に関連する波形を示す。
【図４】本開示と一致するレシーバの一つの例示の形態の簡易ブロック図である。
【図４Ａ】本開示と一致するモジュレータの構成及び破壊ポートにおける、フェーズオフセットに対する光学パワーのプロットを含む。
【図５】本開示と一致する実施形態の伝送パフォーマンスを示す、チャネルパワーに対するＱ値のプロットを含む。
【図６】本開示と一致する実施形態における計測されたＱ値の周波数を示すヒストグラムを含む。
【図７】本開示と一致する実施形態のチャネル間隔の耐性を示す、チャネル間隔エラーに対するＱペナルティを含む。
【図８】シングルチャネルを伴う実施形態のＱ値と対比される本開示と一致する実施形態のＱ値のプロットと、本開示と一致する実施形態内のビットアラインチャネル及びビットインタリーブチャネルを伴うＱ値を示すプロットを、含む。
【発明を実施するための形態】
【００１２】
概略、本開示と一致するシステムは、個々のチャネルのための分極の入力ランダムステートを追跡するための分極コントローラ、及び、直交隣接チャネルを抑圧するポラライザを含むレシーバを用いること無く、ＰＯＬＭＵＸ−ＤＰＳＫ変調フォーマットのバリエーションを実装する。一つの例示の実施形態では、交互に直交する分極を有する、２つのＲＺ−ＤＰＳＫ変調信号が組み合わされている。２つの信号は、夫々の信号のビットレートの４分の１の概略奇数の光学キャリア周波数差分を有する。この制約により、ＤＰＳＫデモジュレータは、隣接チャネルからクロストークパワーを効果的に除去する。パフォーマンスを最適化するため、２つのチャネル間で光学パルスを調整しそれらがビットインタリーブされるように、可変ディレイが用いられてもよい。
【００１３】
図１は、本開示と一致するＷＤＭ伝送システム１００の一つの例示の形態の簡易ブロック図である。伝送システムは、伝送ターミナル１０４から、一つ若しくはそれ以上の遠隔配置の受信ターミナル１０６までの、光学情報経路に渡って、複数の光学チャネルを伝送するように機能する。例示のシステム１００は、５０００ｋｍ若しくはそれ以上にて、トランスミッタからレシーバへチャネルを伝送するように構成されている長距離サブマリンシステムであってもよい。
【００１４】
説明を簡易にするために、高度に簡易化したポイントツーポイントシステムとして、システム１００を描いていることは、当業者は認識するところである。例えば、伝送ターミナル１０４及び受信ターミナル１０６は、勿論、両方とも送受信器として構成されており、これにより各々は、伝送及び受信機能の両方を実行するように構成されている。しかしながら、説明の簡易化のために、本明細書では、ターミナルは、伝送若しくは受信の機能のみに関して、描かれて記載される。当然ながら、本開示と一致するシステム及び方法は、非常に様々なネットワーク要素及び構成の中に組み込むことができる。本明細書に記載される例示の形態は、説明のためにのみ示されるのであり、発明を限定するものではない。
【００１５】
例示の実施形態では、複数のトランスミッタＴＸ１、ＴＸ２、・・・ＴＸＮの各々は、関連する入力ポート１０８−１、１０８−２、・・・１０８−Ｎにて第１のデータレートを有するデータ信号を受信する。本開示と一致して、一つ若しくはそれ以上のトランスミッタＴＸ１、ＴＸ２、・・・ＴＸＮは、関連する光学キャリア波長λ１Ａ及びλ１Ｂ、λ２Ａ及びλ２Ｂ・・・λＮＡ及びλＮＢにて、一対の直交分極信号を伝送する。個々の対のキャリア波長は、本明細書でより詳しく説明するように、信号のビットレートの約４分の１のより、周波数分離され得る。データは、ＤＰＳＫ変調フォーマット、例えば、ＲＺ−ＤＰＳＫ若しくはＣＲＺ−ＤＰＳＫフォーマットを用いて、周知のように、第１のデータレートの半分で波長λ１Ａ及びλ１Ｂ、λ２Ａ及びλ２Ｂ・・・λＮＡ及びλＮＢにて、変調され得、波長λ１Ａ及びλ１Ｂ、λ２Ａ及びλ２Ｂ・・・λＮＡ及びλＮＢの対にて変調される信号は、ビットインタリーブし得る。
【００１６】
例えば、ポート１０８−Ｎの４０Ｇｂ／ｓ入力信号に対して、トランスミッタＴＸＮは、入力信号を一対の２０Ｇｂ／ｓ信号に時間分割逆多重化し得る。トランスミッタＴＸＮは、波長λＮＡに関してＲＺ−ＤＰＳＫフォーマットを用いて２０Ｇｂ／ｓ信号の対の第１のものと、波長λＮＢに関してＲＺ−ＤＰＳＫフォーマットを用いて２０Ｇｂ／ｓ光学信号の対の第２のものを、変調し得る。λＮＡに関する信号は、λＮＢに関して変調された信号に対して直交分極され得、λＮＡの光学キャリア周波数は、λＮＡ及びλＮＢに関する信号の、ビットレートの４分の１の概略奇数分、例えば、１／４、３／４、５／４・・・によって、光学キャリア周波数から分離され得る。パフォーマンスを最適化するために、波長λ１Ａ及びλ１Ｂ、λ２Ａ及びλ２Ｂ・・・λＮＡ及びλＮＢに関する直交分極信号が、ビットインタリーブされてもよい。トランスミッタは、勿論、説明を簡易化するために、高度に簡易化された形態で示されている。個々のトランスミッタは、所望の振幅及び変調を伴う関連する波長にてデータ信号を伝送するように構成されている電気及び光学要素を含んでもよいことは、当業者には認識されるところである。
【００１７】
伝送される波長若しくはチャネルは、複数のパス１１０−１、１１０−２、・・・１１０−Ｎにて夫々キャリされる。データチャネルは、マルチプレクサ、即ち結合器１１２により光学パス１０２上の集合信号内に結合され得る。光学パス１０２は、光学ファイバ導波路、光学増幅器、光学フィルタ、分散補償モジュール、並びに、他の能動及び受動素子を含み得る。
【００１８】
集合信号は、一つ若しくはそれ以上の受信ターミナル１０６にて受信され得る。デマルチプレクサ１１４は、伝送チャネルを、波長λ１Ａ及びλ１Ｂ、λ２Ａ及びλ２Ｂ・・・λＮＡ及びλＮＢにて、関連するレシーバＲＸ１、ＲＸ２、・・・ＲＸＮに連結する関連するパス１１６−１、１１６−２、・・・１１６−Ｎへと分離する。レシーバＲＸ１、ＲＸ２、・・・ＲＸＮの一つ若しくはそれ以上は、伝送信号をデモジュールし、関連する出力パス１１８−１、１１８−２、・・・１１８−Ｎへ、第１のデータレートにて関連する出力データ信号を供給するように、構成されている。本明細書で用いられる“連結する”の用語は、一つのシステム要素によりキャリされる信号が“連結された”要素に与えられる、接続、連結、リンク等を示す。その“連結された”デバイスは、必ずしも、相互に直接に接続しているものではなく、その信号を操作し若しくは修正し得る中間部品若しくはデバイスにより、分離されていることもある。
【００１９】
図２は、本開示と一致する一つの例示のトランスミッタ２００の簡易ブロック図である。説明の簡素化及び容易化のために、例示の実施形態は、特定の変調フォーマット、例えば、ＲＺ−ＤＰＳＫ、モジュレータのビットレート及び構成に関連して、記載されている。しかしながら、当然ながら本明細書に記載の例示の実施形態は、例として示されるのであり、限定のためではない。本開示と一致するシステムは、どのＤＰＳＫ変調フォーマット、モジュレータのビットレート及び／又は構成を用いて、実装されてもよい。
【００２０】
例示の形態２００は、Ｒ  Ｇｂ／ｓデータソース２０４からＲ  Ｇｂ／ｓデータ信号を受信する２×Ｒ  Ｇｂ／ｓ  ＤＰＳＫエンコーダ／ドライバ２０２を含む。説明を簡易化するために、２ｘＲ  Ｇｂ／ｓ  ＤＰＳＫエンコーダドライバとして構成されるエンコーダ／ドライバ２０２に関して、及び、４０Ｇｂ／ｓデータソース２０４として構成されるデータソースに関して、本実施形態２００は明細書にて記載される。しかし、当然ながら、Ｒはどのデータレートを現してもよい。
【００２１】
周知のやり方では、ＤＰＳＫエンコーダ／ドライバ２０４は、データソース２０４から２つの分離２０Ｇｂ／ｓデータ信号へ、４０Ｇｂ／ｓデータ信号を時間分割多重化し、分離２０Ｇｂ／ｓ信号のＤＰＳＫエンコード化バージョンを第１の及び第２のＤＰＳＫモジュール２０６、２０８に供給し得る。ＤＰＳＫモジュレータ２０６、２０８は、ＤＰＳＫフォーマットを用いて、周知のやり方で２０Ｇｂ／ｓ信号を光学信号にエンコードするように、構成され得る。一つの形態では、例えば、“Ｓｙｎｃｈｒｏｎｏｕｓ  ａｍｐｌｉｔｕｄｅ  ｍｏｄｕｌａｔｉｏｎ  ｆｏｒ  ｉｍｐｒｏｖｅｄ  ｐｅｒｆｏｒｍａｎｃｅ  ｏｆ  ｏｐｔｉｃａｌ  ｔｒａｎｓｍｉｓｓｉｏｎ  ｓｙｓｔｅｍｓ”という名称のＮｅａｌ  Ｓ．Ｂｅｒｇａｎｏによる米国特許公開第２００４／０１６１２４５号（特許文献１）にて記載されるように、ＤＰＳＫモジュレータはＲＺ−ＤＰＳＫを与えるように構成され得る。該開示は参照の上で本明細書に全て組み込まれる。
【００２２】
図示した例示の形態２００は更に、波長λＮＡ及び対応する周波数ｆＮＡを有する連続波（ＣＷ）光学信号を生成する第１のレーザ２１０を含む。光学信号は、ＤＰＳＫ変調フォーマット、例えば、ＲＺ−ＤＰＳＫ変調フォーマットを用いて２０Ｇｂ／ｓデータ信号の一方を光学信号上にエンコードし、キャリア波長λＮＡに関して変調光学情報信号を生成する第１のＤＰＳＫモジュレータ２０６に、連結され得る。第２のレーザ２１２は、波長λＮＢ及び対応する周波数ｆＮＢを有する連続波（ＣＷ）光学信号を生成するように設けられ得る。光学信号は、ＤＰＳＫ変調フォーマット、例えば、ＲＺ−ＤＰＳＫ変調フォーマットを用いて２０Ｇｂ／ｓデータ信号の他方を光学信号上にエンコードし、キャリア波長λＮＢに関して変調光学情報信号を生成する第２のＤＰＳＫモジュレータ２０８に、連結され得る。
【００２３】
モジュレータの出力は、周知の分極コンバイナ２１４の夫々の入力に連結される。分極コンバイナ２１４は、モジュレータ出力を集合信号内に多重化し、出力が相対的に直交分極されるように、即ち、波長λＮＡに関して変調された信号が波長λＮＢに関して変調された信号に相対して直交分極されるように、出力を分極する。例えば、入力の分極の状態が注意深く調整される従来の方向性カプラを用いて、分極コンバイナの機能が完遂され得ることを、当業者であれば認識し得る。
【００２４】
図示した例示の形態では、λＮＡ及びλＮＢに関する信号のビットインタリーブは、カプラ２１８、周知の光学電気（Ｏ／Ｅ）コンバータ２１９、電気バンドパスフィルタ２２０及びＲＦパワー検出器２２２を含む、フィードバックパス２１６を用いて、完遂される。カプラは、ポラライザ出力の一部、例えば、１０％をＯ／Ｅコンバータ２１９に連結する周知の構成をとってもよい。Ｏ／Ｅコンバータ２１９は、カプラ入力を周知の方法で電気信号に変換し、出力として電気信号を電気バンドパスフィルタ２２０に供給する。電気バンドパスフィルタ２２０は、λＮＡ及びλＮＢに関して変調された信号のクロック周波数に等しい、例えば、データソースが４０Ｇｂ／ｓデータ信号を供給する形態での２０ＧＨｚに等しい、中心周波数を有する周知の構成をとってもよい。バンドパスフィルタ２２０の出力は、パワー検出器２２２に連結され得る。ＲＦパワー検出器は、バンドパスフィルタの中心周波数にて光学パワーを検出する周知の構成をとってもよい。パワー検出器２２２の出力は、可変ディレイ素子２２４に供給される。
【００２５】
ディレイ素子２２４は、エンコーダ／ドライバ２０２とモジュレータ２０８の間に連結され、モジュレータ２０８により波長λＮＢに変調されるパルスに対して可変ディレイを与える。可変ディレイは、パワー検出器２２２の出力に応じて与えられ、変調された光学パルスλＮＡとλＮＢとの間の相対時間を、それらがビットインタリーブされるように調整する。一般に、λＮＡとλＮＢに関して変調された光学パルスが完全に整列されると、パワー検出器２２２は、クロック周波数で最大限光学パワーを検出する。従って、一つの実施形態では、パワー検出器２２２は、クロック周波数で光学パワーを最小化しこれによりビットインタリーブを達成するように構成されているディレイ素子に、フィーフォバック信号を供給し得る。
【００２６】
図３を参照して、例えば、λＮＡとλＮＢの夫々に関して変調された例示のＲＺ−ＤＰＳＫ信号のための、時間に対する相対光学パワーのプロット３０２、３０３が、示される。矢印３０６は、λＮＡに関して変調された信号の分極の方向を図式的に示し、矢印３０８は、λＮＢに関して変調された信号の分極の方向を図式的に示す。図示するように、λＮＡとλＮＢに関する信号は、相対的に直交分極されている。更に、λＮＡとλＮＢに関する光学パルスは、ビットインタリーブされている。即ち、λＮＡに関する光学パルスは概略、λＮＢに関するパルス間のスペースを占め、逆もまた同様である。更に、λＮＡ及びλＮＢに関連する光学キャリア周波数ｆＮＡ及びｆＮＢは、夫々、ビットレートの４分の１の概略奇数分により異なり、以下に詳しく説明するように相応の耐性の範囲内にある。ｆＮＡとｆＮＢの関係は、以下のように表され得る。
【数１】
2011530885.tif 000003
ここで、ｘは奇数である。
しかしながら、ｆＮＡとｆＮＢの間の周波数差の絶対値は、集合ＷＤＭ信号内の隣接チャネル、即ち、λ（Ｎ＋１）Ａとλ（Ｎ＋１）Ｂとλ（Ｎ−１）Ａとλ（Ｎ−１）Ｂによる干渉を回避するために、十分に小さいものであるべきである。
【００２７】
図４を参照して、本開示と一致する例示のレシーバ４００が示される。図示される例示の形態は、パス４０４に与えられるＤＰＳＫ変調光学信号を受信し増幅する増幅器４０２、例えば、エルビウムドープファイバ増幅器（ＥＤＦＡ）と、増幅器４０２の出力を第１のパス４０８と第２のパス４１０とにスプリットする周知のスプリッタ４０６と、含む。周知の第１のＤＰＳＫデモジュレータ４１２は、第１のパス４０８に連結され、第１の光検出器４１６と第２の光検出器４１８を含む第１のデュアルバランス検出器構成４１４は、第１のＤＰＳＫデモジュレータ４１２の出力に連結する。第１の差分増幅器４２０は、バランス検出器４１４の出力に連結する。周知の第２のＤＰＳＫデモジュレータ４２２は、第２のパス４１０に連結され、第１の光検出器４２６と第２の光検出器４２８を含む第２のデュアルバランス検出器構成４２４は、第２のＤＰＳＫデモジュレータ４２２の出力に連結する。第２の差分増幅器４３０は、第２のＤＰＳＫデモジュレータ４２２の出力に連結する。時間分割マルチプレクサ４３２は、差分増幅器４２０、４３０の出力の夫々に、連結する。時間分割マルチプレクサは、その入力におけるデータをインタリーブし、パス４０４の供給される入力を表す、電気出力をパス４４０に供給する。
【００２８】
図示されたレシーバは、説明を容易にするため簡易化された図式形式で描かれているということは、当業者の認識し得るところである。入力におけるバンドパスフィルタ、バランス検出器の出力におけるクロックデータリカバリ（ＣＤＲ）回路、デモジュレータの動作特性をコントロールするフィードバックパスなどの、他の要素は、本開示と一致するレシーバに組み入れられ得る。一つの実施形態では、例えば、ＤＰＳＫデモジュレータの各々は、“Ｏｐｔｉｃａｌ  Ｒｅｃｅｉｖｅｒ”という名称のＪｅｒｚｙ  Ｄｏｍａｇａｌａによる米国特許第７３３３７３２号（特許文献２）に記載されているように、構成され得るのであり、その開示内容は全て参照の上本明細書に組み込まれる。
【００２９】
ＤＰＳＫデモジュレータ４１２、４２２は夫々、２つの分離光学パス／アーム４４２、４４４及び４４６、４４８の夫々へ光をスプリットするように構成されているＭａｃｈ−Ｚｅｈｎｄｅｒ干渉計などの周知の干渉計を含んでもよく、それらの一つは他のものよりも１データビット長い光学パス長を有し、光を干渉して再結合する。図４は、より長いパス長を有する個々のＤＰＳＫデモジュレータのパス４４４、４４８と関連するトランスファ機能を図式的に示す。個々のパスは、関連するデモジュレータの別のパス４４２、４４６への信号と比較して、所望の時間ディレイコンポーネントＴ、更に、所望のフェーズディレイコンポーネントｅｊΔφを、与えるように構成され得る。
【００３０】
本開示と一致するレシーバでは、λＮＡ及びλＮＢは、ビットレートの４分の１の概略奇数の周波数差分により分離されるので、デモジュレータ４１２、４２２のうちの一つは、λＮＢに関する信号をブロックしつつλＮＡに関する信号をデモジュレートするように最適化され、デモジュレータの他方は、λＮＡに関する信号をブロックしつつλＮＢに関する信号をデモジュレートするように最適化され得る。特に、個々のデモジュレータ４１２、４２２のフェーズディレイコンポーネントは、以下の式で表され得るフェーズオフセットΔφに依存する。
【数２】
2011530885.tif 000004
ここで、Δｆは、入力信号に対するＤＰＳＫデモジュレータの中心周波数シフトであり、ＦＳＲは、デモジュレータの自由スペクトル領域である。ＤＰＳＫデモジュレータ４１２の中心周波数が、λＮＡと関連する周波数に設定される（即ち、Δｆ＝０）と、λＮＡにより変調される信号に対してΔφ＝０となる。λＮＡに関する信号に対してΔφ＝０となり、時間ディレイコンポーネントＴが、同じデモジュレータ４１２の別のパス４４２への信号と比較して、１ビットのディレイを与えるように設定されると、デモジュレータの１つの出力（構成アーム）からの光が、λＮＡに変調されるデジタル“１”強度を表し、λＮＡに変調される２つの隣接ビット間のフェーズ差分がゼロならば、別の出力（破壊アーム）からの光が、λＮＡに変調されるデジタル“０”強度を表し、λＮＡに変調される２つの隣接ビット間のフェーズ差分が１８０°ならば、その逆となる。例えば、図４は、デモジュレータ４１２、４２２の出力のための相対伝送機能を表すプロット４８０、４８２を含む。プロット４８０は、デモジュレータの構成ポートにおける光学伝送機能（即ち、光学フェーズオフセットに対する相対的パワー）を示し、プロット４８２は、破壊ポートにおける光学伝送機能を示す。図示されるように、ＤＰＳＫデモジュレータ４１２の中心周波数がλＮＡに合わせられると、デモジュレータの出力ポートの信号は、λＮＡに変調された１及び０を表す差分値を有する。ＤＰＳＫデモジュレータ４１２の光学出力は、第１の光検出器４１６及び第２の光検出器４１８に与えられ、それら光検出器は、関連する電気出力を、例えば、パス４５０、４５２更に差分増幅器４２０に供給する。よって、差分増幅器４２０の出力は、λＮＡに関する変調されたフェーズ差分に依存する１及び−１を含む。
【００３１】
しかしながら、λＮＢに関連する周波数は、例えば、（ビットレートがデモジュレータのＦＳＲと同等である）ビットレートの４分の１だけλＮＡの周波数からオフセットしているので、λＮＢに関して変調された信号に対して、Δｆ＝１／４ＦＳＲである。上式（２）にΔｆ＝１／４ＦＳＲを代入すると、λＮＢに関して変調された信号に対して、Δφ＝π／２となる。これは、図４Ａ（“Ｘｔａｌｋ  ｐｏｌ”）に示すように、デモジュレータの構成ポート及び破壊ポートの両方において、λＮＢに関して変調された光学信号とその１ビットディレイ信号との間で、コヒーレントビーティングが無いということを意味する。このフェーズオフセットにより、λＮＢに関して変調された光学信号に応じて、等しい光電流がバランス検出器４１４の出力４５０、４５２に与えられ、差分増幅器４２０によりキャンセルされる。よって、パス４３４への差分増幅器４２０の出力は、λＮＡに関して変調された１及び０のみを表し、λＮＢに関して変調された信号は、分極コントローラ若しくはポラライザを利用すること無く、実効的にキャンセルされる。
【００３２】
同様に、他のＤＰＳＫデモジュレータ４２２の中心周波数がλＮＢに関連する周波数にセットされる（即ち、Δｆ＝０）と、λＮＢに関して変調された信号に対してΔφ＝０となる。λＮＢに関する信号に対してΔφ＝０となり、同じデモジュレータ４２２の別のパス４６６への信号と比較して１ビットのディレイを与えるべくセットされた時間ディレイＴコンポーネントにより、デモジュレータ（構成アーム）の一つの出力からの光は、λＮＢに関して変調されたデジタル“１”強度を表し、λＮＢに関して変調された２つの隣接するビット間のフェーズ差分がゼロであるならば他方（破壊アーム）の出力からの光は、λＮＢに関して変調されたデジタル“０”強度を表し、図４Ａに示すように、λＮＢに関して変調された２つの隣接するビット間のフェーズ差分が１８０°であるならば、それらの逆となる。ＤＰＳＫデモジュレータ４２２の光学出力は、第１の光検出器４２６及び第２の光検出器４２８に与えられ、それら光検出器は、関連する電気出力を、例えば、パス４５４，４５６に更には差分増幅器４３０に供給する。よって、差分増幅器４３０のパス４３６への出力は、λＮＢに関して変調された１及び０を含む。
【００３３】
λＮＡに関連する周波数は、例えば、（ビットレートがデモジュレータのＦＳＲと同等である）ビットレートの１／４だけλＮＢの周波数からオフセットしているので、λＮＡに関して変調された信号に対して、Δｆ＝１／４ＦＳＲである。上式（２）にΔｆ＝１／４ＦＳＲを代入すると、チャネル、つまりλＮＡに関して変調された信号に対して、Δφ＝π／２となる。これは、図４Ａ（“Ｘｔａｌｋ  ｐｏｌ”）に示すように、デモジュレータの構成ポート及び破壊ポートの両方において、λＮＡに関して変調された光学信号とその１ビットディレイ信号との間で、コヒーレントビーティングが無いということを意味する。このフェーズオフセットにより、λＮＡに関して変調された光学信号に応じて、等しい光電流がバランス検出器の出力４５４、４５６に与えられ、差分増幅器によりキャンセルされる。よって、パス４３６への差分増幅器４３０の出力は、λＮＢに関して変調された１及び０のみを表し、λＮＡに関して変調された信号は、分極コントローラ若しくはポラライザを利用すること無く、実効的にキャンセルされる。
【００３４】
ＤＰＳＫデモジュレータ４２０、４３０の出力は、時間分割マルチプレクサ４３２の入力に連結される。時間分割マルチプレクサ４３２は、ＤＰＳＫデモジュレータ出力をインタリーブし、パス４０４で受信される入力を表す集合電気出力をパス４４０に供給する。例えば、トランスミッタが図２に示すように構成される一つの実施形態では、集合出力は、４０Ｇｂ／ｓデータソース２０４により与えられるデータを表し得る。
【００３５】
よって、λＮＡ及びλＮＢに関して変調された信号間の間隔が、ＤＰＳＫデモジュレータのＦＳＫの１／４の奇数分に概略等しいとき、即ち、λＮＡ及びλＮＢに関して変調された信号のビットレートに等しいとき、差分増幅器が続くＤＰＳＫデモジュレータは、信号の一つを除去するのに利用され得る。本開示に一致するシステムでは、コヒーレントビーティングノイズ及び隣接信号ビーティングノイズは、夫々、分極多重化及びビットインタリーブにより、対処され得る。特に、信号は直交分極しているので、それらの間のコヒーレントビーティング期間は、最小化若しくは除去される。その一方で、従来のＰＯＬＭＵＸ構成内の入来信号に対する分極コントローラ若しくはポラライザの不整合により、コヒーレントビーティング障害を生じ得る。隣接信号が、計測された信号で殆ど同じ振幅を有するので、隣接信号ＡＳＥビーティングノイズは、３ｄＢ  Ｑペナルティを生成し得る。
【００３６】
図５及び図６は、本開示と一致する例示のシステムのパフォーマンスを示し、該システムは、５０チャネルを含み、各々４０Ｇｂ／ｓであり、１５０ｋｍリピータ間隔及び６６．６ＧＨｚチャネル間隔を伴う５２００ｋｍラマン支援ＥＤＦＡシステムに亘って伝送される。図５は、従来のＰＯＬＭＵＸ  ＲＺ−ＤＰＳＫ変調、本開示と一致するオフセットＰＯＬＭＵＸ  ＲＺ−ＤＰＳＫ変調、及びＤＱＰＳＫ変調を夫々用いたテストシステムのためのトータルチャネルパワーに対する、Ｑ値のプロット５０２、５０４、５０６を含む。図示されるように、本開示と一致するオフセットＰＯＬＭＵＸ  ＲＺ−ＤＰＳＫシステムは、分極コントローラやポラライザを要求すること無く、従来のＰＯＬＭＵＸ−ＲＺ−ＤＰＳＫと比較して同様の非線形耐性を示しており、また、約２．５ｄＢだけＲＺ−ＤＱＰＳＫを凌いでいる。
【００３７】
図６は、従来のＰＯＬＭＵＸ  ＲＺ−ＤＰＳＫ変調、及び、本開示と一致するオフセットＰＯＬＭＵＸ  ＲＺ−ＤＰＳＫ変調を夫々用いたテストシステムに対して計測されたＱ値のヒストグラムを含む。図示されるように、本開示と一致するオフセットＰＯＬＭＵＸ  ＲＺ−ＤＰＳＫシステムに対する最悪ケースのＱ値は、従来のＰＯＬＭＵＸ  ＲＺ−ＤＰＳＫシステムに対する最悪ケースのＱ値より約０．３ｄＢ高い。更に、本開示と一致するオフセットＰＯＬＭＵＸ  ＲＺ−ＤＰＳＫシステムに対するＱ値の範囲は、従来のＰＯＬＭＵＸ  ＲＺ−ＤＰＳＫシステムに対する範囲よりも狭い。
【００３８】
図７及び図８は、本開示と一致する例示のテストシステムのパフォーマンスを示し、該テストシステムは、４０Ｇｂ／ｓチャネルを含み、６２００ｋｍ及び９５００ｋｍ並びにオフセットＰＯＬＭＵＸ  ＲＺ−ＤＰＳＫ変調に亘って伝送される。図７は、６２００ｋｍ及び９５００ｋｍ伝送の夫々のためのチャネル間隔エラーに対するＱ値ペナルティ（ｄＢ）のプロット７０２、７０４を含む。図７の“チャネル間隔エラー”の用語は、例えば、λＮＡとλＮＢとの間のビットレートの１／４の所望の間隔におけるエラーを示す。４０Ｇｂ／ｓ信号に対しては、λＮＡ及びλＮＢに関して変調された信号は、２０Ｇｂ／ｓのビットレートを有し、ビットレートの１／４の間隔は５ＧＨｚ間隔となる。図７の０の“チャネル間隔エラー”は、λＮＡ及びλＮＢが、例えば、ビットレートの正確な１／４だけ分離していることを、示す。
【００３９】
図示するように、本開示と一致するテストシステムは、０．５ＧＨｚチャネル間隔エラーに対する６２００ｋｍ及び９５００ｋｍの距離での０．２ｄＢ未満の伝送ペナルティと、１ＧＨｚチャネル間隔エラーに対する０．５ｄＢ未満の伝送ペナルティを、示す。よって、一つの実施形態では、チャネル間隔エラーは、２０Ｇｂ／ｓのビットレートを有する信号に対して、０．５ＧＨｚ以下となり得る。より一般的には、チャネル間隔エラーは、名目の（所望の）チャネル間隔の１０％以下であってよい。言い換えれば、λＮＡとλＮＢの間の周波数差は、ビットレート±１０％の１／４の奇数分であればよい。
【００４０】
図８は、本開示と一致するシステムのためのＱ値のプロット８０２、８０４を含む。例えば、第１及び第２のチャネル、λＮＡとλＮＢを含み、その際チャネルは夫々ビットインタリーブされ及びビットアラインされ、シングルチャネルのみを含むシステムのＱ値と対比される。図８は又、本開示と一致するシステムのＱ値のプロット８０６、８０８を含み、その際チャネルは夫々ビットインタリーブされ及びビットアラインされ、シングルチャネルのみを含むシステムのＱ値と対比される。プロット８０６により示されるように、本開示と一致する例示のテストシステム内のインタリーブは、シングルチャネルのＱパフォーマンスと対比して、０．５ｄＢ未満のＱペナルティとなった。
【００４１】
本開示の一つの形態によると、２Ｒ  Ｇｂ／ｓの元のデータレートを有するデータ信号を受信し、前記データ信号を第１のデータ信号と第２のデータ信号に分離するように構成されたドライバであって、前記第１のデータ信号と前記第２のデータ信号の各々は、Ｒ  Ｇｂ／ｓのデータレートを有する、ドライバと、
差分フェーズシフトキーイング（ＤＰＳＫ）データ変調により前記第１のデータ信号を第１の光学信号上に変調し、第１のキャリア周波数を有する第１の光学データ信号を供給する、第１の差分フェーズシフトキーイング（ＤＰＳＫ）モジュレータと、
ＤＰＳＫデータ変調により前記第２のデータ信号を第２の光学信号上に変調し、第２のキャリア周波数を有する第２の光学データ信号を供給する、第２のＤＰＳＫモジュレータであって、第１のキャリア周波数と第２のキャリア周波数との間の差分の絶対値は、Ｒ  ＧＨｚの１／４の奇数分である、第２のＤＰＳＫモジュレータと、
前記第２のＤＰＳＫモジュレータに連結し、第１の光学データ信号と対比して前記第２の光学データ信号に可変ディレイを与えるように構成された、可変ディレイ素子と、
前記第１のＤＰＳＫモジュレータの出力、及び、前記第２のＤＰＳＫモジュレータの出力と連結されており、前記第１の光学データ信号と前記第２の光学データ信号を集合信号に結合して光学情報チャネルに連結するように構成されたコンバイナであって、前記第１の光学データ信号は前記第２の光学データ信号に対して相対的に直交分極する、コンバイナと
を含む装置が提供される。
【００４２】
本開示の別の形態によると、２Ｒ  Ｇｂ／ｓのデータレートを有するデータ信号を第１のデータ信号と第２のデータ信号に分離するステップであって、前記第１のデータ信号と前記第２のデータ信号の各々は、Ｒ  Ｇｂ／ｓのデータレートを有する、ステップと、
差分フェーズシフトキーイング（ＤＰＳＫ）データ変調により前記第１のデータ信号を第１の光学信号上に変調し、第１のキャリア周波数を有する第１の光学データ信号を供給する、ステップと、
ＤＰＳＫデータ変調により前記第２のデータ信号を第２の光学信号上に変調し、第２のキャリア周波数を有する第２の光学データ信号を供給する、ステップであって、第１のキャリア周波数と第２のキャリア周波数との間の差分の絶対値は、Ｒ  ＧＨｚの１／４の奇数分である、ステップと、
第１の光学データ信号と対比して前記第２の光学データ信号にディレイを与えるステップと、
前記第１の光学データ信号と前記第２の光学データ信号を相互に直交分極するステップと、
前記第１の光学データ信号と前記第２の光学データ信号を集合信号に結合して光学情報チャネルに連結する、ステップと
を含む方法が提供される。
【００４３】
本開示の別の形態によると、Ｒ  Ｇｂ／ｓのデータレートの差分フェーズシフトキーイング（ＤＰＳＫ）変調フォーマットに従って変調されたデータを有する第１の光学信号と、Ｒ  Ｇｂ／ｓのデータレートのＤＰＳＫ変調フォーマットに従って変調されたデータを有する第２の光学信号とを受信するように構成されたデモジュレータであって、
前記第１の光学信号は第１のキャリア周波数を有し、前記第２の光学信号は第２のキャリア周波数を有し、第１のキャリア周波数と第２のキャリア周波数との間の差分の絶対値は、Ｒ  ＧＨｚの１／４の奇数分であり、
前記第１のキャリア周波数に等しい中心周波数を有しており、前記第１と第２の光学信号を第１及び第２のアーム上に供給して第１と第２の光学出力を供給するように構成された、デモジュレータと、
第１と第２の光検出器であって、第１の検出器は与えられる前記第１の光学出力に応じて第１の電気出力を供給するように構成されており、第２の検出器は与えられる前記第２の光学出力に応じて第２の電気出力を供給するように構成されている、第１と第２の光検出器と、
前記第１と第２の電気出力に連結された差分増幅器と
を含む、装置が提供される。
【００４４】
本開示の別の形態によると、Ｒ  Ｇｂ／ｓのデータレートの差分フェーズシフトキーイング（ＤＰＳＫ）変調フォーマットに従って変調されたデータを有する第１の光学信号と、Ｒ  Ｇｂ／ｓのデータレートのＤＰＳＫ変調フォーマットに従って変調されたデータを有する第２の光学信号とを受信するステップであって、前記第１の光学信号は第１のキャリア周波数を有し、前記第２の光学信号は第２のキャリア周波数を有し、第１のキャリア周波数と第２のキャリア周波数との間の差分の絶対値は、Ｒ  ＧＨｚの１／４の奇数分である、ステップと、
前記第１のキャリア周波数に等しい中心周波数を有しており、前記第１と第２の光学信号を第１及び第２のアーム上に供給して第１と第２の光学出力を供給するように構成された、デモジュレータに、前記第１の光学信号と前記第２の光学信号を連結するステップと、
第１と第２の光検出器上に前記第１と第２の光学出力を与えるステップであって、第１の検出器は与えられる前記第１の光学出力に応じて第１の電気出力を供給するように構成されており、第２の検出器は与えられる前記第２の光学出力に応じて第２の電気出力を供給するように構成されている、ステップと、
前記第１と第２の電気出力を差分増幅器に連結するステップと
を含む方法が提供される。
【００４５】
本明細書にて複数の実施形態を記載したが、本開示と一致するシステム若しくは方法を利用する幾つかは、制約としてではなく例示のために本明細書に記載している。当業者に明白な他の多くの実施形態は、本開示の精神及び範囲から実質的に乖離すること無く、作成され得るものである。
【符号の説明】
【００４６】
１００・・・ＷＤＭ伝送システム、１０２・・・光学パス、１０４・・・伝送ターミナル、１０６・・・受信ターミナル、１１２・・・マルチプレクサ、１１４・・・デマルチプレクサ。
【図１】
2011530885.tif 000005
【図２】
2011530885.tif 000006
【図３】
2011530885.tif 000007
【図４】
2011530885.tif 000008
【図４Ａ】
2011530885.tif 000009
【図５】
2011530885.tif 000010
【図６】
2011530885.tif 000011
【図７】
2011530885.tif 000012
【図８】
2011530885.tif 000013
【国際調査報告】
2011530885.tif 000014